(57)【特許請求の範囲】
【請求項１】
複数の吸引孔が形成された支持面を有し、前記吸引孔に連通する内部空間に負圧を付与して前記支持面に沿って搬送される記録媒体を支持する支持台と、
前記支持面に支持された前記記録媒体に対し、流体を噴射して印字する記録ヘッドと、
前記記録媒体の搬送方向と直交する幅方向において、前記支持台の一方側に設けられ、
前記流体の予備噴射を受ける流体受け部材と、
前記内部空間の内部において変位することにより前記支持面の前記負圧を付与する領域を切り替える切替部材と、
前記幅方向における前記支持台の他方側に設けられ、前記内部空間の外部において前記切替部材を変位駆動させる変位駆動装置と、
を有し、
前記複数の吸引孔のうち少なくとも一部が、前記幅方向において前記流体受け部材と前記変位駆動装置との間に位置することを特徴とする記録装置。
【請求項２】
前記変位駆動装置は、前記内部空間の外部において前記切替部材の変位に係る情報を検出する光学センサを有することを特徴とする請求項１に記載の記録装置。
【請求項３】
前記支持面よりも上方に前記記録ヘッドが設けられ、前記支持面よりも下方に前記変位駆動装置が設けられていることを特徴とする請求項１または２に記載の記録装置。
【請求項４】
前記変位駆動装置と前記支持面との間において前記支持台から側方に延在して設けられ、前記変位駆動装置の上方を覆うカバー部材を有することを特徴とする請求項３に記載の記録装置。
【請求項５】
前記カバー部材には、前記記録ヘッドをメンテナンスするメンテナンスユニットが設けられていることを特徴とする請求項４に記載の記録装置。
【発明の詳細な説明】
【技術分野】
【０００１】
本発明は、記録装置に関する。
【背景技術】
【０００２】
下記特許文献１には、記録装置としてインクジェット式プリンターが開示されている。
このインクジェット式プリンターは、複数の吸引孔が形成された支持台と、吸引孔内に負圧を生じさせるファンと、各吸引孔内の空気の流れを調整する弁と、弁の開弁状態と閉弁状態とを切り替えるカムを有する切替部材と、を備えている。
【先行技術文献】
【特許文献】
【０００３】
【特許文献１】特開２００９−２８０３２０号公報
【発明の概要】
【発明が解決しようとする課題】
【０００４】
ところで、上記従来技術のようなサクション方式のプリンターでは、上記切替部材を変位駆動させるモーター等の変位駆動装置を支持台の上記吸引孔と連通する内部空間に配置することがある。
しかしながら、支持台の内部空間に変位駆動装置を配置すると、例えば、印字時の噴射により発生したミスト状のインク（サテライトやミスショット等が要因）が吸引孔を介して内部空間に進入し、モーターの駆動軸や変位量を検出する光学センサ等に付着して、吸引領域の切り替えの誤作動を引き起こす場合がある。また、インクジェット式プリンターでは、印字前にインクを予備噴射（フラッシング）して、噴射特性の調整（メニスカスの調整、増粘インクの排出等）を行うが、その際に発生したミスト状のインクが機内に漂い、吸引孔から内部空間に進入する場合もある。
【０００５】
本発明は、上記問題点に鑑みてなされたもので、吸引領域の切り替えの誤作動を防止することのできる記録装置を提供することを目的としている。
【課題を解決するための手段】
【０００６】
上記の課題を解決するために、本発明は、複数の吸引孔が形成された支持面を有し、上記吸引孔に連通する内部空間に負圧を付与して上記支持面に沿って搬送される記録媒体を支持する支持台と、上記支持面に支持された上記記録媒体に対し、流体を噴射して印字する記録ヘッドと、上記記録媒体の搬送方向と直交する幅方向において、上記支持台の一方側に設けられ、上記流体の予備噴射を受ける流体受け部材と、上記内部空間の内部において変位することにより上記支持面の上記負圧を付与する領域を切り替える切替部材と、上記幅方向における上記支持台の他方側に設けられ、上記内部空間の外部において上記切替部材を変位駆動させる変位駆動装置と、を有する記録装置を採用する。
このような構成を採用することによって、本発明は、切替部材を変位駆動させる変位駆動装置を、支持台の内部空間の外部であって、流体の予備噴射を受ける流体受け部材が配置される一方側に対して支持台を挟んだ逆側の他方側に設ける。これにより、吸引孔を介して内部空間に流体が進入しても変位駆動装置に流体が付着することがなく、また、流体の予備噴射の位置から離れて変位駆動装置が配置されるため、該予備噴射によって機内に漂った流体の付着を抑制することができる。
【０００７】
また、本発明においては、上記変位駆動装置は、上記内部空間の外部において上記切替部材の変位に係る情報を検出する光学センサを有するという構成を採用する。
このような構成を採用することによって、本発明では、光学センサが備える投光部や受光部等に流体が付着することによる切替部材の変位に係る情報の誤検出を抑制することができる。
【０００８】
また、本発明においては、上記支持面よりも上方に上記記録ヘッドが設けられ、上記支持面よりも下方に上記変位駆動装置が設けられているという構成を採用する。
このような構成を採用することによって、本発明では、支持面よりも下方に変位駆動装置を設けることにより、記録ヘッドが設けられる支持面よりも上方で発生したミスト状の流体の変位駆動装置への付着を抑制することができる。
【０００９】
また、本発明においては、上記変位駆動装置と上記支持面との間において上記支持台から側方に延在して設けられ、上記変位駆動装置の上方を覆うカバー部材を有するという構成を採用する。
このような構成を採用することによって、本発明では、変位駆動装置の上方を覆うカバー部材を設けることで、記録ヘッドが設けられる支持面よりも上方で発生したミスト状の流体の変位駆動装置への付着を抑制することができる。
【００１０】
また、本発明においては、上記カバー部材には、上記記録ヘッドをメンテナンスするメンテナンスユニットが設けられているという構成を採用する。
このような構成を採用することによって、本発明では、変位駆動装置への付着を抑制するカバー部材にメンテナンスユニットを設けることができる。
【図面の簡単な説明】
【００１１】
【図１】本発明の実施形態におけるプリンターを示す概略構成図である。
【図２】本発明の実施形態における記録部を示す斜視図である。
【図３】本発明の実施形態における支持台が備えるプラテンを示す平面図である。
【図４】本発明の実施形態における支持台の分解斜視図である。
【図５】本発明の実施形態における支持台の分解斜視図である。
【図６】本発明の実施形態における支持台本体の分解斜視図である。
【図７】本発明の実施形態におけるカム機構の要部を示す斜視図である。
【図８】本発明の実施形態における変位駆動装置の配置を示す図である。
【図９】本発明の実施形態における変位駆動装置の取り付け状態を示す斜視図である。
【図１０】本発明の実施形態における変位駆動装置を示す斜視図である。
【図１１】本発明の実施形態における変位駆動装置を示す正面図である。
【図１２】本発明の実施形態における変位駆動装置を示す右側面図である。
【図１３】本発明の実施形態におけるモーターを示す斜視図である。
【発明を実施するための形態】
【００１２】
以下、本発明に係る記録装置の実施形態について、図を参照して説明する。なお、以下の説明で用いる図面では、ＸＹＺ直交座標系を設定し、このＸＹＺ直交座標系を参照しつつ各部材の位置関係について説明することがある。ここで、水平面内の所定方向をＸ軸方向（幅方向）、水平面内においてＸ軸方向と直交する方向をＹ軸方向（搬送方向）、Ｘ軸方向及びＹ軸方向のそれぞれと直交する方向（鉛直方向）をＺ軸方向とする。
本実施形態では、記録装置として、インクジェット式プリンター（以下、単にプリンターと称する）について例示する。
【００１３】
図１は、本発明の実施形態におけるプリンター１１を示す概略構成図である。
プリンター１１は、ロール状に巻かれたロール紙ＲＰから延出される長尺の用紙（記録媒体）Ｐに対して、インク（流体）を記録ヘッド３１から噴射して画像や文字等を印字する構成となっている。プリンター１１は、ロール紙ＲＰから延出された用紙Ｐを搬送する搬送部２０と、用紙Ｐに対し印字を行う記録部３０と、印字を経た用紙Ｐを所定サイズに切断する切断部４０と、切断後の用紙Ｐｓの裏面に印字を行う裏面印字部５０と、上記各構成部位の動作を統括的に制御する制御装置ＣＯＮＴと、を有している。
【００１４】
プリンター１１は、ロール紙ＲＰを収容するケース１２と、搬送部２０、記録部３０、切断部４０、裏面印字部５０等を収容する本体ケース１３と、を備えている。そして、本体ケース１３の前側（＋Ｙ側）には、印字が施されて切断された用紙Ｐｓが排出される排紙トレイ１７が設けられている。また、用紙Ｐの切断によって生ずる切断片Ｐｋを受けて溜める容器（以降、「切屑容器」と称する）１５が、本体ケース１３の右側面において、表面から少し凹むように面が形成された凹部１４内に配設されている。切屑容器１５は、本実施形態では本体ケース１３から搬送方向（Ｙ軸方向）と直交する方向（Ｘ軸方向）に引き抜くことができるようになっており、その直交方向の端面が凹部１４において露出するとともに、その端面において切屑容器１５を引く抜くための取手１６が設けられている。
【００１５】
以下、プリンター１１に設けられた各構成部位について、プリンター１１に備えられた搬送部２０として機能する複数のローラー対によって搬送される用紙Ｐの搬送順に従って説明する。搬送部２０は、給紙ローラー対２１、搬送ローラー対２２，２３，２４，２５、排紙ローラー対２６を有する。まず、ロール紙ＲＰから巻き解かれた用紙Ｐは、給紙ローラー対２１によって、記録部３０に給紙されるようになっている。記録部３０は、インクを噴射する記録ヘッド３１と、用紙Ｐを支持する支持台３２と、を有する。
【００１６】
記録部３０では、ロール紙ＲＰから給送された用紙Ｐを搬送して、用紙Ｐの上面（表面）に画像等を印字する。まず搬送ローラー対２２によって記録ヘッド３１と支持台３２との間に用紙Ｐを送り出す。送り出された用紙Ｐの上面（表面）は記録ヘッド３１に対して所定の距離を保って搬送され、このとき、用紙Ｐの上面に記録ヘッド３１からインクが噴射されて印字が行われる。その後、用紙Ｐは、搬送ローラー対２３によって切断部４０に搬送される。
【００１７】
切断部４０は、回転刃などによって構成されるカッター４１を機能部品として有し、用紙Ｐを、印字された画像等に対応する領域毎に切断する。このとき、切断部４０では、印字された領域について搬送方向の端部に存在する不要な領域を取り除くように切断が行われるようになっている。このため、図示するように、用紙Ｐは、切断によって切断片Ｐｋが発生し、発生した切断片Ｐｋは重力方向に落下するようになっている。従って、この落下する切断片Ｐｋを受けて溜めるために、切屑容器１５が切断部４０よりも下側に配設されている。
【００１８】
切断後の用紙Ｐｓは、次に裏面に文字を印刷する裏面印字部５０に搬送される。裏面印字部５０は、インクリボンを用紙Ｐｓの下面（裏面）に押し付けてインクドットを形成する所謂インパクトドット方式の印字ユニット５１と、用紙Ｐｓを印字の際に上側から支持する支持台５２と、を有している。裏面印字部５０では、搬送される用紙Ｐｓを、まず搬送ローラー対２４によって印字ユニット５１と支持台５２との間に用紙Ｐｓを送り出す。そして、送り出された用紙Ｐｓは、その下面（裏面）に印字ユニット５１によってドットが記録されることによって所定の文字が印字され、搬送ローラー対２５によって搬送方向に送られる。
【００１９】
その後、用紙Ｐｓは、例えば、乾燥部（不図示）に搬送され、機能部品としてのヒーターユニット（不図示）などによって乾燥が施されるなどの処理を経て、最後に排紙ローラー対２６によって排紙トレイ１７に排出されるようになっている。
【００２０】
次に、本実施形態の記録部３０の構成について詳しく説明する。
図２は、本発明の実施形態における記録部３０を示す斜視図である。図３は、本発明の実施形態における支持台３２が備えるプラテン６０を示す平面図である。
図２における符号３３は、記録ヘッド３１を搭載したキャリッジを示す。本実施形態の記録ヘッド３１は、搬送される用紙Ｐの幅方向（Ｘ軸方向）に移動するキャリッジ３３に搭載される所謂シリアル型インクジェットヘッドである。なお、図２における符号３４Ａは、記録ヘッド３１のフラッシング（予備噴射）を受けるフラッシングボックス（流体受け部材）を示し、同図における符号３４Ｂは、キャップ部材を備えて記録ヘッド３１のメンテナンス（保湿、吸引クリーニング等）を行うメンテナンスユニットを示す。
【００２１】
キャリッジ３３は、ガイドロッド３５によって幅方向に移動自在に支持されている。キャリッジ３３は、プーリー３６に張架されたベルト３７の駆動により、ガイドロッド３５に沿って移動する構成となっている。ベルト３７は、キャリッジモーター３８により駆動される。また、記録部３０には、キャリッジ３３の移動経路に沿って、リニアエンコーダ３９が設けられている。リニアエンコーダ３９は、キャリッジ３３の幅方向の位置を検出する。この検出信号は、位置情報として制御装置ＣＯＮＴに送信されるようになっている。制御装置ＣＯＮＴは、このリニアエンコーダ３９からの位置情報に基づいて記録ヘッド３１の走査位置を認識し、記録ヘッド３１による印字動作等を制御するようになっている。
【００２２】
支持台３２は、用紙Ｐを支持する支持面６０ａを有するプラテン６０を備える。図２及び図３に示すように、プラテン６０の支持面６０ａには、用紙Ｐの平面性を保つために負圧を付与する吸引孔６１が複数形成されている。また、プラテン６０には、所謂フチなし印刷を行うために、支持面６０ａに開口してインクを受けるインク受部６２が複数設けられている。インク受部６２は、例えば、インクを吸収するスポンジ、不織布等のインク吸収体を備える。本実施形態の用紙Ｐの給紙形態は、所謂センター給紙を採用しており、インク受部６２は、プラテン６０のセンター位置に対して対称に配置されている。インク受部６２は、用紙Ｐの規格（Ａ４、Ｂ４、Ａ３、Ｂ３等）に応じた紙幅に対応する位置にそれぞれ設けられている。
【００２３】
複数の吸引孔６１で用紙Ｐを吸引する吸引領域Ａは、幅方向（Ｘ軸方向）に延在している。吸引孔６１を介した吸引は、図２に示すファン６３により行われる構成となっている。ファン６３と、支持台３２の底部とは、ダクト６４を介して接続されている。
次に、本実施形態の支持台３２の内部構成について詳しく説明する。
図４は、本発明の実施形態における支持台３２の分解斜視図である。図５は、本発明の実施形態における支持台３２の分解斜視図である。図６は、本発明の実施形態における支持台本体７０の分解斜視図である。
【００２４】
図４に示すように、支持台３２は、プラテン６０と、支持台本体７０と、底部フレーム８０と、が組み合わされて構成されている。支持台本体７０には、吸引孔６１に連通する空気室７１と、インク受部６２に連通するインク受室７２とが形成されている。空気室７１は、幅方向の位置に応じて複数に分割されている。より詳しくは、インク受室７２により挟まれた領域毎に分割されている。なお、中央の空気室７１を空気室７１ａと、空気室７１ａの外側で隣り合う空気室７１を空気室７１ｂと、空気室７１ｂの外側で隣り合う空気室７１を空気室７１ｃと、空気室７１ｃの外側で隣り合う空気室７１を空気室７１ｄと、空気室７１ｄの外側で隣り合う空気室７１を空気室７１ｅと、空気室７１ｅの外側で隣り合う空気室７１を空気室７１ｆと、称する。
【００２５】
図５に示すように、空気室７１ａ以外の空気室７１の底部は、フレーム７３及び弁体７４によって閉塞されている。すなわち、空気室７１ａは、用紙Ｐの最小紙幅に対応する領域に設けられているために常時開放され、この空気室７１ａに連通する吸引孔６１は、用紙Ｐの紙幅によらずに吸引を行うようになっている。
図６に示すように、空気室７１ａ以外の空気室７１には、それぞれ弁体７４が設けられている。弁体７４は、付勢部材７５によって下方に付勢されている。弁体７４は、搬送方向に延びる長方形状のベース部７４ａと、ベース部７４ａから下方に突出する突出部７４ｂとを有する。突出部７４ｂは、フレーム７３に形成された開口部７６に挿入可能な大きさを有する。
【００２６】
図４に戻り、底部フレーム８０は、支持台本体７０の底部と接続され、チャンバーとして機能する構成となっている。底部フレーム８０の中央部には、ダクト６４（図２参照）が接続される開口部８１が設けられている。この底部フレーム８０には、支持台３２の内部空間の内部において変位することにより、弁体７４を選択的に持ち上げて、支持面６０ａの負圧を付与する領域を切り替えるカム機構（切替部材）９１が設けられている。
【００２７】
カム機構９１は、幅方向に延びる回転軸９１ａを備え、該回転軸９１ａ周りに回転自在に支持されており、各弁体７４に対応する位置に、各弁体７４に対応する形状のカム９２を備える構成となっている。具体的に、カム機構９１は、空気室７１ｂの弁体７４に対応するカム９２ｂと、空気室７１ｃの弁体７４に対応するカム９２ｃと、空気室７１ｄの弁体７４に対応するカム９２ｄと、空気室７１ｅの弁体７４に対応するカム９２ｅと、空気室７１ｆの弁体７４に対応するカム９２ｆと、を有する。
【００２８】
図７は、本発明の実施形態におけるカム機構９１の要部を示す斜視図である。
図７（ａ）及び図７（ｂ）に示すように、カム９２の形状は、幅方向における位置に応じて異なる形状を有している。カム９２は、弁体７４の突出部７４ｂと当接可能な径を有する凸部９３を有しており、この凸部９３の周方向に占める割合が、カム９２ｂ〜９２ｆで異なっている。カム９２ｂにおける凸部９３の割合が最も多く、次に、カム９２ｃ〜９２ｆの順で小さくなっている。
【００２９】
具体的に、カム機構９１を軸周りに変位させると、カム９２ｂ〜９２ｆの全てが弁体７４と当接しない状態と、カム９２ｂのみが弁体７４を持ち上げ空気室７１ｂを開放する状態と、カム９２ｂ，９２ｃが弁体７４を持ち上げ空気室７１ｂ，７２ｃを開放する状態と、カム９２ｂ〜９２ｄが弁体７４を持ち上げ空気室７１ｂ〜７１ｄを開放する状態と、カム９２ｂ〜９２ｅが弁体７４を持ち上げ空気室７１ｂ〜７１ｅを開放する状態と、カム９２ｂ〜９２ｆの全てが弁体７４を持ち上げ空気室７１ｂ〜７１ｆの全てを開放する状態と、に切り替えることが可能となっている。
【００３０】
例えば、図３に示す紙幅の用紙Ｐがセットされた場合は、カム機構９１を変位駆動させ、カム９２ｂのみが弁体７４を持ち上げて空気室７１ｂを開放する状態とさせる。そうすると、幅方向において、用紙Ｐから外れた吸引領域Ａにおける吸引孔６１ｃ〜６１ｆの各列における吸引を停止させることができる。なお、図３に示す吸引孔６１ａの各列は空気室７１ａに連通し、吸引孔６１ｂの列は空気室７１ｂに連通し、吸引孔６１ｃの列は空気室７１ｃに連通し、吸引孔６１ｄの各列は空気室７１ｄに連通し、吸引孔６１ｅの各列は空気室７１ｅに連通し、吸引孔６１ｆの各列は空気室７１ｆに連通している。
【００３１】
続いて、図８〜図１２を参照して上記構成のカム機構９１を変位駆動させる変位駆動装置９４の構成及び配置について説明する。
図８は、本発明の実施形態における変位駆動装置９４の配置を示す図である。
なお、図８においては、視認性を向上させるため、キャリッジ３３及びメンテナンスユニット３４Ｂについて図示を省略している。
【００３２】
変位駆動装置９４は、フラッシングボックス３４Ａが設けられる支持台３２の幅方向の一方側（＋Ｘ側）に対して、支持台３２の幅方向の他方側（−Ｘ側）に設けられている。すなわち、変位駆動装置９４及びフラッシングボックス３４Ａは、幅方向で支持台３２を挟んだ位置関係を有する。この変位駆動装置９４は、支持台３２の内部空間において変位するカム機構９１に対して、その内部空間の外部からカム機構９１を変位駆動させる構成となっている。変位駆動装置９４は、支持台３２の側部に露出するカム機構９１の回転軸９１ａの一端部に設けられたギア機構９５（図４参照）と、ギア機構９５を駆動させるモーター９６とを有する。
【００３３】
図９は、本発明の実施形態における変位駆動装置９４の取り付け状態を示す斜視図である。図１０は、本発明の実施形態における変位駆動装置９４を示す斜視図である。図１１は、本発明の実施形態における変位駆動装置９４を示す正面図である。図１２は、本発明の実施形態における変位駆動装置９４を示す右側面図である。図１３は、本発明の実施形態におけるモーター９６を示す斜視図である。
なお、図９においては、視認性を向上させるため、変位駆動装置９４の上方に設けられたカバーフレーム（カバー部材）９７及びファン６３について図示を省略している。また、図１０〜１２においては、さらにモーター９６を取り付ける取り付けフレーム９８（図９参照）について図示を省略している。
【００３４】
変位駆動装置９４は、図１１及び図１２に示すように、支持台３２の側部に設けられ、支持面６０ａよりも下方に設けられている。モーター９６の駆動力は、出力軸９６ａを介してギア１００ａに伝達され、ギア１００ａを介してギア１００ｂに伝達され、ギア１００ｂと同軸に設けられた不図示のギアを介してギア１００ｃに伝達され、ギア１００ｃと接続されたカム機構９１の回転軸９１ａに伝達される。
【００３５】
図１０に示すように、ギア１００ｃと同軸には、回転軸９１ａと一体的に回転する略Ｌ字状のレバー部材１０１が設けられている。そして、レバー部材１０１が回転する経路を跨いでフォトインタラプタ（光学センサ）１０２が設けられている。フォトインタラプタ１０２は、光を投光する投光部１０２ａと、該光を受光する受光部１０２ｂとを備え、レバー部材１０１により光が遮られたか否かを検出する構成となっている。本実施形態では、レバー部材１０１により光が遮られたときを、カム機構９１の変位の原点として設定している。カム機構９１の変位の原点は、例えば、カム９２ｂ〜９２ｆの全てが弁体７４と当接しない状態とする。
【００３６】
モーター９６は、ＤＣモーターであり、出力軸９６ａの回転量を検出するロータリーエンコーダ（光学センサ）１０３を有する。フォトインタラプタ１０２及びロータリーエンコーダ１０３の検出結果は、制御装置ＣＯＮＴに出力される。制御装置ＣＯＮＴは、該検出結果に基づいてモーター９６に指令を与え、カム機構９１の変位駆動制御を行い、支持面６０ａに負圧を付与する領域を、セットされた用紙Ｐの紙幅に対応させる構成となっている。
【００３７】
図１３に示すように、モーター９６には、フォトインタラプタ１０２及びギア１００ａを保持する保持部材１０４が締結されている。保持部材１０４には、取り付けフレーム９８（図９参照）にモーター９６を締結するための孔部１０５が形成されている。図９に示すように、取り付けフレーム９８には、フォトインタラプタ１０２及びギア１００ａを挿入可能な開口部１０６が形成されている。したがって、組立時及び修理交換時等においては、モーター９６と共にフォトインタラプタ１０２の取り付け及び取り外しが可能となるため、作業性が向上する。
【００３８】
上記のように取り付けられた変位駆動装置９４の上方には、図８に示すように、カバーフレーム９７が設けられている。カバーフレーム９７は、変位駆動装置９４と支持面６０ａとの間において、支持台３２から側方に延在して設けられ、変位駆動装置９４の上方を覆う構成となっている。また、図２に示すように、このカバーフレーム９７には、メンテナンスユニット３４Ｂが設けられる構成となっている。
【００３９】
続いて、上記構成のプリンター１１の記録部３０における作用を印字動作と共に説明する。
先ず、セットされた用紙Ｐの紙幅に基づいて、幅方向において、用紙Ｐから外れた吸引領域Ａにおける吸引孔６１による吸引を停止させる。具体的には、制御装置ＣＯＮＴが、変位駆動装置９４に対し指令を与え、カム機構９１を変位駆動させることで行う。図３に示す紙幅の用紙Ｐがセットされた場合、制御装置ＣＯＮＴは、セットされた用紙Ｐの紙幅情報に基づいてモーター９６を駆動させ、カム機構９１の変位量を制御し、カム９２ｂのみが弁体７４を持ち上げ空気室７１ｂを開放する状態とさせる。そうすると、ファン６３の駆動によって、常時開放されている空気室７１ａに連通する吸引孔６１ａ及び開放された空気室７１ｂに連通する吸引孔６１ｂからの吸引が開始される。一方、空気室７１ｃ〜７１ｆは、弁体７４によって閉塞された状態となるので、幅方向において、用紙Ｐから外れた吸引領域Ａにおける吸引孔６１ｃ〜６１ｆによる吸引を停止させることができる。
【００４０】
次に、搬送部２０によって、用紙Ｐをプラテン６０の支持面６０ａに沿ってＹ軸方向に搬送する。用紙Ｐの先端部が、吸引領域Ａに進入すると、吸引孔６１ａ，６１ｂによる吸引力が作用し、用紙Ｐの平面度が保たれる。
次に、制御装置ＣＯＮＴは、記録ヘッド３１によって平面度が保たれた用紙Ｐに対して印字を実行させるが、該印字前に所定時間が経過している等の場合は、先ずキャリッジ３３を駆動させ、記録ヘッド３１とフラッシングボックス３４Ａとを対向させた後、フラッシング（予備噴射）を実行させ、噴射特性の調整（メニスカスの調整、増粘インクの排出等）をする。
【００４１】
このフラッシングの際、ミスト状のインクが発生しても、フラッシングボックス３４Ａが配置される一方側に対して支持台３２を挟んだ他方側に変位駆動装置９４が設けられているので、このミスト状のインクが、モーター９６の出力軸９６ａやフォトインタラプタ１０２、ロータリーエンコーダ１０３等に付着してしまうことを抑制することができる。また、ミスト状のインクが、支持台３２の幅方向の一方側から他方側に漂う間に、吸引孔６１に吸われても、変位駆動装置９４は、支持台３２の内部空間の外部に配置されているため、この影響も回避することができる。
【００４２】
また、用紙Ｐに対する印字中に、サテライトやミスショット等により発生したミスト状のインクは、記録ヘッド３１が設けられた支持面６０ａよりも上方に漂うが、本実施形態では、変位駆動装置９４を図１１に示すように支持面６０ａよりも下方に設けているので、このミスト状のインクの変位駆動装置９４への到達及び付着を抑制することができる。
加えて、本実施形態では、図８に示すように変位駆動装置９４と支持面６０ａとの間においてカバーフレーム９７を設けて上下を空間的に分離し、上方からのミスト状のインクの侵入を阻止すると共に、さらに、カバーフレーム９７にメンテナンスユニット３４Ｂを設けることで、スペースを有効活用しつつ上方からのミスト状のインクの侵入を阻止することができる。
【００４３】
したがって、上述した本実施形態によれば、複数の吸引孔６１が形成された支持面６０ａを有し、吸引孔６１に連通する内部空間に負圧を付与して支持面６０ａに沿って搬送される用紙Ｐを支持する支持台３２と、支持面６０ａに支持された用紙Ｐに対し、インクを噴射して印字する記録ヘッド３１と、用紙Ｐの搬送方向と直交する幅方向において、支持台３２の一方側に設けられ、上記インクの予備噴射を受けるフラッシングボックス３４Ａと、上記内部空間の内部において変位することにより支持面６０ａの上記負圧を付与する領域を切り替えるカム機構９１と、上記幅方向における支持台３２の他方側に設けられ、上記内部空間の外部においてカム機構９１を変位駆動させる変位駆動装置９４と、を有するプリンター１１を採用することによって、カム機構９１を変位駆動させる変位駆動装置９４を、支持台３２の内部空間の外部であって、インクの予備噴射を受けるフラッシングボックス３４Ａが配置される一方側に対して支持台３２を挟んだ逆側の他方側に設けることにより、吸引孔６１を介して内部空間にインクが進入しても変位駆動装置９４にインクが付着することがなく、また、インクの予備噴射の位置から離れて変位駆動装置９４が配置されるため、該予備噴射によって機内に漂ったインクの付着を抑制することができる。
したがって、本実施形態では、変位駆動装置９４にミスト状のインクが付着することによる吸引領域の切り替えの誤作動を防止するこができる。
【００４４】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００４５】
例えば、上記実施形態においては、記録装置がプリンター１１である場合を例にして説明したが、プリンターに限られず、複写機及びファクシミリ等の装置であってもよい。
【００４６】
また、記録装置としては、インク以外の他の流体を噴射したり吐出したりする記録装置を採用してもよい。本発明は、例えば微小量の液滴を吐出させる記録ヘッド等を備える各種の記録装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクが挙げられる。ここで、インクとは一般的な水性インク及び油性インク並びにジェルインク、ホットメルトインク等の各種液体組成物を包含するものとする。また、記録装置の具体例としては、上記実施形態で説明したような用紙がロール状に巻かれたロール紙を収容体（ケース１２）に備えた装置に限られない。例えば、可撓性を有する基板や金属板、あるいはプラスチックシートや布など、長尺状の記録媒体がロール状に巻かれているものを収容体に備えた装置であれば、いずれも記録装置として採用することができる。さらに、収容体に備えられた長尺状の記録媒体は、例えば葛折状になっているなどのように必ずしもロール状に巻かれていなくてもよい。
【符号の説明】
【００４７】
１１…プリンター（記録装置）、３１…記録ヘッド、３２…支持台、３４Ａ…フラッシングボックス（流体受け部材）、３４Ｂ…メンテナンスユニット、６０ａ…支持面、６１…吸引孔、９１…カム機構（切替部材）、９４…変位駆動装置、９７…カバーフレーム（カバー部材）、１０２…フォトインタラプタ（光学センサ）、１０３…ロータリーエンコーダ（光学センサ）、Ｐ…用紙（記録媒体）
【図１】
0005605180.tif 000002
【図２】
0005605180.tif 000003
【図３】
0005605180.tif 000004
【図４】
0005605180.tif 000005
【図５】
0005605180.tif 000006
【図６】
0005605180.tif 000007
【図７】
0005605180.tif 000008
【図８】
0005605180.tif 000009
【図９】
0005605180.tif 000010
【図１０】
0005605180.tif 000011
【図１１】
0005605180.tif 000012
【図１２】
0005605180.tif 000013
【図１３】
0005605180.tif 000014